(57)【要約】【課題】コンテンツとその関連情報とを含む情報グループをＤＳＲＣで受信するＩＴＳ車載器１７において、コンテンツを的確に再生できるようにする。【解決手段】関連情報には有効期限の他に有効期限前再生禁止フラグ及び有効期限後再生禁止フラグを含ませる。コンテンツの再生指示を受け付けると、該コンテンツの有効期限を調べる。現在が有効期限前又は後となっていれば、有効期限前又は有効期限後の再生処理ルーチンを実施する。有効期限前再生処理ルーチンでは、有効期限前再生禁止フラグがセットされていれば、再生画面に代えて、有効期限前のため表示できない旨を表示する（Ｓ１１４）。セットされていなければ、有効期限前である旨付き該コンテンツの再生画面を表示する（Ｓ１１２，Ｓ１１３）。【選択図】図１７
2010044540.tif 000002
【特許請求の範囲】
【請求項１】
車載器へ配信するコンテンツが車載器において有効期限外であるときの該車載器における該コンテンツの処理を制御する制御情報を作成する制御情報作成手段、及び
コンテンツとその有効期限の情報と前記制御情報とを含むコンテンツ情報を、路側機を介して無線配信する配信手段、
を備えることを特徴とするセンタ装置。
【請求項２】
路側機を介して車載器からそのユーザＩＤを無線で受信する受信手段、
前記ユーザＩＤに対応付けられている会員ステータスを検出する会員ステータス検出手段、及び
前記制御情報を前記会員ステータスに基づき作成する前記制御情報作成手段、
を備えることを特徴とするセンタ装置。
【請求項３】
コンテンツを含むコンテンツ情報を路側機から無線で受信する受信手段、
再生指示のコンテンツに対してそのコンテンツ情報から該コンテンツの有効期限及び有効期限外再生可否の情報を抽出する情報抽出手段、
現在の日時を検出する現在日時検出手段、及び
前記再生指示のコンテンツに対して検出現在日時が有効期限外でありかつ有効期限外の再生が否である場合には、該コンテンツを再生しないようにする再生制御手段、
を備えることを特徴とする車載器。
【請求項４】
前記再生指示のコンテンツに対してその遷移先コンテンツの情報を該再生指示のコンテンツのコンテンツ情報から抽出する前記情報抽出手段、
前記再生指示のコンテンツに対してその遷移先コンテンツが存在する場合には、該遷移先コンテンツへ進む操作ボタン付きの代替画面を生成する代替画面生成手段、及び
前記再生指示のコンテンツに対して検出現在日時が有効期限外でありかつ有効期限外の再生が否である場合には、前記操作ボタン付きの代替画面を前記再生指示のコンテンツの再生画面に代えて表示する前記再生制御手段、
を備えることを特徴とする請求項３記載の車載器。
【請求項５】
前記再生指示のコンテンツに対してその遷移先コンテンツの内容に関するテキストを該遷移先コンテンツのコンテンツ情報から抽出する前記情報抽出手段、及び
前記操作ボタン付きの代替画面に該操作ボタンの表示に対応付けて前記遷移先コンテンツの内容に関するテキストを表示する前記代替画面生成手段、
ことを特徴とする請求項４記載の車載器。
【請求項６】
コンテンツを含むコンテンツ情報を路側機から無線で受信する受信手段、
受信したコンテンツ情報を記憶媒体に保存する保存手段、
保存コンテンツに対してそのコンテンツ情報から有効期限の情報を抽出する情報抽出手段、
保存コンテンツが有効期限切れであるか否かの第１の判定を前記有効期限の情報に基づき判定する有効期限判定手段、
前記第１の判定が正であればその判定対象の保存コンテンツを前記記憶媒体から削除するコンテンツ削除手段、
を備えることを特徴とする車載器。
【請求項７】
所定のイベント発生に伴い前記保存コンテンツに対してその有効期限切れが所定時間以内であるか否かの第２の判定を前記有効期限の情報に基づき判定する前記有効期限判定手段、
前記第２の判定が正であればその判定対象の保存コンテンツをその有効期限と共に削除予定リストに登録するリスト登録手段、及び
前記削除予定リストにおいて有効期限切れとなっている保存コンテンツを一定時間間隔で検索し該当の保存コンテンツを前記記憶媒体から削除する前記コンテンツ削除手段、
を備えることを特徴とする請求項６記載の車載器。
【請求項８】
前記コンテンツ削除手段は、保存コンテンツのみを前記記憶媒体から削除して、該保存コンテンツのコンテンツ情報に含まれるその他の情報は前記記憶媒体に残すことを特徴とする請求項６又は７記載の車載器。
【請求項９】
車載器へ配信するコンテンツが車載器において有効期限外であるときの該車載器における該コンテンツの処理を制御する制御情報を作成する制御情報作成ステップ、及び
コンテンツとその有効期限の情報と前記制御情報とを含むコンテンツ情報を、路側機を介して無線配信する配信ステップ、
を備えることを特徴とするコンテンツ情報配信方法。
【請求項１０】
コンテンツを含むコンテンツ情報を路側機から無線で受信する受信ステップ、
再生指示のコンテンツに対してそのコンテンツ情報から該コンテンツの有効期限及び有効期限外再生可否の情報を抽出する情報抽出ステップ、
現在の日時を検出する現在日時検出ステップ、
及び
前記再生指示のコンテンツに対して検出現在日時が有効期限外でありかつ有効期限外の再生が否である場合には、該コンテンツを再生しないようにする再生制御ステップ、
を備えることを特徴とするコンテンツ情報処理方法。
【請求項１１】
コンテンツを含むコンテンツ情報を路側機から無線で受信する受信ステップ、
受信して保存している保存コンテンツに対してそのコンテンツ情報から有効期限の情報を抽出する情報抽出ステップ、
保存コンテンツが有効期限切れか否かの第１の判定を前記有効期限の情報に基づき判定する有効期限判定ステップ、
前記第１の判定が正であればその判定対象の保存コンテンツを記憶媒体から削除するコンテンツ削除ステップ、
を備えることを特徴とするコンテンツ情報処理方法。
【請求項１２】
請求項１又は２記載のセンタ装置の各手段としてコンピュータを機能させるプログラム。
【請求項１３】
請求項３〜８のいずれかに記載の路側装置の各手段としてコンピュータを機能させるプログラム。
【発明の詳細な説明】
【技術分野】
【０００１】
本発明は、ＤＳＲＣ（Dedicated Short Range Communication：狭域通信）等の無線通信を利用してコンテンツを処理するセンタ装置、車載器、コンテンツ情報配信方法、コンテンツ情報処理方法及びプログラムに関する。
【背景技術】
【０００２】
特許文献１はＤＳＲＣ車載器について開示する（特許文献１の段落０００１）。該ＤＳＲＣ車載器は、路上機から情報を受信すると、その時のメモリの使用状況を調べ、（ａ）空き領域が有れば、受信情報を該空き領域に格納し（特許文献１の図２のＳ１０１→・・・→Ｓ１０５ＹＥＳ→Ｓ１０６）、（ｂ）空き領域−が無くかつ最古情報の削除可が設定済みであれば、該最古情報を削除してから、受信情報を削除領域に格納し（特許文献１の図２のＳ１０１→・・・→Ｓ１０５ＮＯ→Ｓ１０８ＹＥＳ→Ｓ１０９→Ｓ１１０）、（ｃ）空き領域が無くかつ最古情報の削除可が未設定であれば、メモリへの受信情報の格納はしないことにしている（特許文献１の図２のＳ１０１→・・・→Ｓ１０５ＮＯ→Ｓ１０８ＮＯ→Ｓ１１２）。該ＤＳＲＣ車載器は、また、メモリ内の最古情報に代えて所定の情報についてその削除可が設定済みであれば、該所定の情報を削除してから、受信情報を削除領域に格納（特許文献１の図３のＳ２０８ＹＥＳ→Ｓ２０９→Ｓ２１０）し、該所定の情報の削除可が未設定であれば、メモリへの受信情報の格納はしないことにしている（特許文献１の図３のＳ２０８ＮＯ→Ｓ２１２）。
【特許文献１】特開２００７−１０９０３２号公報
【発明の開示】
【発明が解決しようとする課題】
【０００３】
特許文献１は、車載器が路側機からコンテンツ情報をダウンロードした際に、メモリの記憶残量に基づき該コンテンツ情報をメモリに格納するか、破棄するか、又はメモリ上の所定の過去情報の削除後に格納するかを制御することを開示するのみであり、路側機からダウンロードしたコンテンツ情報に含まれるコンテンツについてのより有意義な処理を示唆するものではない。
【０００４】
本発明の目的は、コンテンツ情報にコンテンツと共に所定の関連を付加してコンテンツを的確に処理するセンタ装置、車載器、コンテンツ情報配信方法、コンテンツ情報処理方法及びプログラムを提供することである。
【課題を解決するための手段】
【０００５】
本発明によれば、センタ装置から配信するコンテンツ情報に、コンテンツと共にその有効期限の情報及び制御情報を含ませる。制御情報は、コンテンツが車載器において有効期限外となっている場合に、車載器における該コンテンツの処理を制御する情報である。
【０００６】
本発明によれば、コンテンツ情報を路側機から受信する車載器では、コンテンツ情報からコンテンツと共にその有効期限及び有効期限外再生可否の情報を抽出し、コンテンツの再生指示に対して、該コンテンツが有効期限外であり、有効期限外再生否となっている場合には、再生を行わない。
【０００７】
本発明によれば、コンテンツ情報を路側機から受信する別の車載器では、コンテンツ情報からコンテンツと共にその有効期限の情報を抽出し、保存中のコンテンツが有効期限切れであれば、該保存コンテンツを記憶媒体から削除する。  
【０００８】
本発明のセンタ装置は次の手段を備える。
車載器へ配信するコンテンツが車載器において有効期限外であるときの該車載器における該コンテンツの処理を制御する制御情報を作成する制御情報作成手段、及び
コンテンツとその有効期限の情報と前記制御情報とを含むコンテンツ情報を、路側機を介して無線配信する配信手段。
【０００９】
本発明の車載器は次のものを備えている。
コンテンツを含むコンテンツ情報を路側機から無線で受信する受信手段、
再生指示のコンテンツに対してそのコンテンツ情報から該コンテンツの有効期限及び有効期限外再生可否の情報を抽出する情報抽出手段、
現在の日時を検出する現在日時検出手段、及び
前記再生指示のコンテンツに対して検出現在日時が有効期限外でありかつ有効期限外の再生が否である場合には、該コンテンツを再生しないようにする再生制御手段。
【００１０】
本発明の別の車載器は次の手段を備える。
コンテンツを含むコンテンツ情報を路側機から無線で受信する受信手段、
受信したコンテンツ情報を記憶媒体に保存する保存手段、
保存コンテンツに対してそのコンテンツ情報から有効期限の情報を抽出する情報抽出手段、
保存コンテンツが有効期限切れであるか否かの第１の判定を前記有効期限の情報に基づき判定する有効期限判定手段、
前記第１の判定が正であればその判定対象の保存コンテンツを前記記憶媒体から削除するコンテンツ削除手段。
【００１１】
本発明のコンテンツ情報配信方法は次のステップを備える。
車載器へ配信するコンテンツが車載器において有効期限外であるときの該車載器における該コンテンツの処理を制御する制御情報を作成する制御情報作成ステップ、及び
コンテンツとその有効期限の情報と前記制御情報とを含むコンテンツ情報を、路側機を介して無線配信する配信ステップ。
【００１２】
本発明のコンテンツ情報処理方法は次のステップを備える。
コンテンツを含むコンテンツ情報を路側機から無線で受信する受信ステップ、
再生指示のコンテンツに対してそのコンテンツ情報から該コンテンツの有効期限及び有効期限外再生可否の情報を抽出する情報抽出ステップ、
現在の日時を検出する現在日時検出ステップ、
及び
前記再生指示のコンテンツに対して検出現在日時が有効期限外でありかつ有効期限外の再生が否である場合には、該コンテンツを再生しないようにする再生制御ステップ。
【００１３】
本発明の別のコンテンツ情報処理方法は次のステップを備える。
コンテンツを含むコンテンツ情報を路側機から無線で受信する受信ステップ、
受信したコンテンツ情報を記憶媒体に保存する保存ステップ、
保存コンテンツに対してそのコンテンツ情報から有効期限の情報を抽出する情報抽出ステップ、
保存コンテンツが有効期限切れか否かの第１の判定を前記有効期限の情報に基づき判定する有効期限判定ステップ、
前記第１の判定が正であればその判定対象の保存コンテンツを記憶媒体から削除するコンテンツ削除ステップ。
【００１４】
本発明のプログラムは、本発明の前述のセンタ装置の各手段としてコンピュータを機能させる。
【００１５】
本発明のプログラムは、本発明の前述の車載器の各手段としてコンピュータを機能させる。
【発明の効果】
【００１６】
本発明によれば、コンテンツとその有効期限の情報とその有効期限外時の車載器における処理に係る制御情報とを含むコンテンツ情報をセンタ装置から配信することにより車載器におけるコンテンツ処理を適格化することができる。
【００１７】
本発明によれば、車載器が、コンテンツ情報からコンテンツと共にその有効期限及び有効期限外再生可否の情報を抽出して、コンテンツ再生指示に対して適切に再生及び非再生を行うことができる。
【００１８】
本発明によれば、車載器が、コンテンツ情報からコンテンツと共にその有効期限の情報を抽出して、記憶媒体に保存中のコンテンツの削除を適切化することができる。
【発明を実施するための最良の形態】
【００１９】
図１はタウンカーライフナビマルチコンテンツ形式のデータに基づく路車間ＤＳＲＣシステム１０の概略図である。路側機１１は、サーバ１２と共に路側装置１５を構成し、有線又は無線でサーバ１２へ接続されている。サーバ１２は、さらに、インタネット等のネットワークを介して別のサーバとデータを送受自在になっている。路側機１１は、直径がほぼ数ｍ〜３０ｍのエリアに存在する自動車１３に搭載されているＩＴＳ（Intelligent Transport System：高度道路交通システム）車載器１７とは５．８ＧＨｚ 帯の電波を使ってデータを送受する。ＩＴＳ車載器１７はＤＳＲＣ部１８及びナビ部１９を有している。
【００２０】
図２はタウンカーライフナビマルチコンテンツ形式のデータ伝送態様の説明図である。マルチコンテンツ形式のダウンリンクでは、データをその種類に応じて分類し、分類ごとにＩＤコード"００"，"０１"，"０２"，〜を割り振っている。マルチコンテンツ形式のデータ伝送では、データが情報グループを単位に括られ、各情報グループは先頭にＩＤ＝"００"の分類データをもつ。ＩＤ＝"００"の分類データは、その情報グループに含まれているＩＤにはどのようなものがあるかを示す構成情報となっている。
【００２１】
図３は情報グループの構成について各ＩＤが必須か任意かを示す図である。ＩＤ＝００，０１，０２は、各情報グループに必ず含めなければならない。ＩＤ＝０３，０４，０５は、ＩＤ＝６０のみの情報提供の場合には情報グループに含める必要はないが、その他の情報提供の場合には、情報グループに必ず含める必要がある。その他のＩＤは情報グループに含めるか否かは任意である。
【００２２】
図４〜図７はダウンリンクで使用する各ＩＤに割り当てる分類表である。ＩＤ＝００は構成ＩＤ情報（各情報グループがどのようなＩＤを格納しているかを記述する領域）の分類となっている。ＩＤ＝０１は、事業者の分類となっており、サービス事業者コード（サービス事業者を特定できる事業者コード）、サービス事業者表示テキスト（ナビ表示用サービス事業社名(サービス名)テキスト情報）、及びサービス事業者表音文字列（ナビ発話用サービス事業社名(サービス名)表音文字列情報）を含む。
【００２３】
ＩＤ＝０２はコンテンツの分類となっており、企業コード（コンテンツの情報提供元を特定できるコード）、企業表示テキスト（ナビ表示用情報提供企業名テキスト情報）、企業表音文字列（ナビ発話用情報提供企業名表音文字列情報）、情報コード（コンテンツを特定できる情報コード）、情報表示テキスト（ナビ表示用コンテンツ内容テキスト情報）、情報表音文字列（ナビ発話用コンテンツ内容表音文字列情報）、及び嗜好データカテゴリー（情報が該当する情報カテゴリーを示すカテゴリーコード）を含む。
【００２４】
ＩＤ＝０３は、ＩＤ＝０２と同様に、コンテンツの分類となっており、即時再生／蓄積コード（受信後のコンテンツ再生動作を表すコード）、及び再生条件コード（情報提供エリアでのコンテンツ再生条件を示すコード）を含む。
【００２５】
ＩＤ＝０４は、有効期限の分類となっており、開始年月日時分秒（コンテンツの有効期限）、及び終了年月日時分秒（コンテンツの有効期限）を含む。ＩＤ＝０５は、提供時間の分類となっており、営業時間（コンテンツ提供元の営業時間）、及び情報提供時間（コンテンツ提供時間）を含む。
【００２６】
ＩＤ＝１０は、対象地点の分類となっており、対象地点座標（サービス提供可能な地点の緯度経度情報）、対象地点表示用テキスト（サービス名称(店舗名称等)）、提携駐車場情報（対象地点以外の提携駐車場情報）、アイコン表示画像データ（サービス提供可能な場所を表すアイコンのデータ）、表示用文字データ（サービスの説明用テキスト情報）、表示画像データ（サービスを表す静止画情報）、表音文字列データ（サービスを表す表音文字列情報）、圧縮音声データ（圧縮音声データ情報）、音声再生順（表音文字列と圧縮音声の再生順序を表す）、ビデオデータ（ビデオデータ情報）、及びＵＲＬ（サービスを表すＵＲＬ情報）を含む。
【００２７】
ＩＤ＝２０は、情報提供地点の分類となっており、計５個の情報提供地点について、情報提供中心座標（ポップアップ情報を再生する緯度経度情報）、情報提供エリア（ポップアップ情報を再生するエリアを定義する中心座標からの半径情報）、情報提供方向コード（ポップアップ情報を再生する情報提供方向情報）、情報提供道路種別（ポップアップ情報を再生する道路種別情報）、表示画像データ（ポップアップ再生する静止画のデータ）、表音文字列データ（ポップアップ再生する表音文字列情報、圧縮音声データポップアップ再生する圧縮音声のデータ）、及び音声再生順（ポップアップ再生する音声データの再生順番を表すコード）を含む。
【００２８】
ＩＤ＝３０は、遷移情報の分類となっており、計８個の次再生情報コード（ 画面遷移情報）を含む。ＩＤ＝４０は、詳細情報の分類となっており、計８個の各詳細情報について、表示用文字データ（ナビ表示用詳細情報テキスト情報）、及び発話用表音文字列（ナビ発話用詳細情報表音文字列情報）を含む。
【００２９】
ＩＤ＝５０は、駐車場情報の分類となっており、１５個の各駐車場について、駐車場ＩＤ（駐車場を特定できるＩＤ）、詳細情報（駐車場の動的詳細情報）、特記事項（駐車場の特記事項）、及び特記事項表音文字列（ナビ発話用特記事項表音文字列）を含む。
【００３０】
ＩＤ＝５１は、ナビ部１９に格納されている駐車場の静的情報を３次メッシュ単位で最大４メッシュ分更新することが可能になる。ＩＤ＝５１は、３ 次メッシュ数（更新する駐車場静的情報を含む３ 次メッシュ数を通知するもの）、１〜４の各メッシュについて、３ 次メッシュコード（更新する駐車場静的情報を含む３ 次メッシュコード）、３ 次メッシュバージョン情報（更新する駐車場静的情報が含まれる３ 次メッシュのバージョン情報）、３ 次メッシュ駐車場数（更新するメッシュに含まれる駐車場静的情報数）、３ 次メッシュ駐車場静的情報（更新する駐車場の静的情報）を含む。
【００３１】
ＩＤ＝５２は削除駐車場ＩＤ情報である。メッシュ単位で駐車場情報をすべて（新設／削除）更新する場合はこの情報は用いない。ＩＤ＝５２は、３次メッシュ数（削除する駐車場ＩＤ情報を含む３次メッシュ数を通知するもの）、３次メッシュコード（削除する駐車場ＩＤ情報を含む３次メッシュコード）、３次メッシュバージョン情報（削除する駐車場ＩＤ情報が含まれる３次メッシュのバージョン情報；ＩＤ＝５１で同時に通知される静的情報のバージョンと同一のものとする）、３次メッシュ駐車場数（更新するメッシュに含まれる駐車場静的情報数）、及び３次メッシュ削除駐車場ＩＤ情報（削除する駐車場ＩＤ情報）を含む。
【００３２】
ＩＤ＝６０は、運転支援の分類であり、運転支援画像データ（運転支援画像情報）、運転支援表音文字列（データ運転支援表音文字列情報）、運転支援圧縮音声（データ運転支援圧縮音声情報）、及び音声再生順（表音文字列と圧縮音声の再生順序を表す）が含まれる。
【００３３】
ＩＤ＝８０は、嗜好データの分類であり、計１２７個の各嗜好データのテーブルについて、嗜好データバージョン（嗜好データのテーブルのバージョン情報）、嗜好データテーブル（ 嗜好データのテーブルの表示用テキスト情報）、表音文字列（嗜好データのテーブルの発話用表音文字列情報）、及び詳細情報（嗜好データのテーブルの詳細情報）が含まれる。
【００３４】
図８は路側装置１５−ＩＴＳ車載器１７間のトランザクションで実施される各機器間の通信及び処理を示している。路側機１１及びサーバ１２は路側装置１５を構成する。ＩＴＳ車載器１７はＤＳＲＣ部１８及びナビ部１９を有している。時間順に説明する。なお、路側機１１−ＤＳＲＣ部１８間の通信はＤＳＲＣの電波で行われる。
【００３５】
ＩＴＳ車載器１７において電源が投入されるのに伴い、Ｓ１０では、ナビ部１９からＤＳＲＣ部１８へクライアントインフォメーションデータが書き込まれる。ＩＴＳ車載器１７を搭載する自動車１３が路側機１１との通信可能な距離（例：約３０ｍ）の電波到達エリアに進入するのに伴い、Ｓ１１では、路側機１１−ＤＳＲＣ部１８間でＤＳＲＣ接続処理が実施される。
【００３６】
Ｓ１１のＤＳＲＣ接続処理が終了すると、Ｓ１２，Ｓ１３でＤＳＲＣ接続通知が行われる。Ｓ１２の接続通知は路側機１１からサーバ１２へのものであり、Ｓ１３の接続通知はＤＳＲＣ部１８からナビ部１９へのものである。Ｓ１４では、クライアントインフォメーションがＤＳＲＣ部１８から路側機１１を経てサーバ１２へ通知される。
【００３７】
サーバ１２は、ＤＳＲＣ部１８からのクライアントインフォメーション通知に基づきＩＴＳ車載器１７のユーザが会員か非会員かを判別したり、ＩＴＳ車載器１７でコンテンツを適正に再生するためのＩＴＳ車載器１７のハードウェア情報を知得する。Ｓ１８では、サーバ１２から路側機１１及びＤＳＲＣ部１８を経てナビ部１９へＷｅｌｃｏｍｅ画面等のコンテンツを送信する。該コンテンツはマルチコンテンツフォーマットで編成されている。ナビ部１９は、マルチコンテンツフォーマットからサービス事業者を判断する。
【００３８】
サーバ１２は、Ｓ１８後、ナビ部１９がアップリンク情報をＤＳＲＣ部１８に書き込む（Ｓ２０）まで、ＤＳＲＣ部１８に対して定期的にメモリアクセスポーリングを行う。Ｓ１９は１回目のポーリングを示している。この図の例では、Ｓ２０によりアップリンク情報が書き込まれる前にポーリングが行われたので、アップリンク情報は得られていない。Ｓ２０では、ナビ部１９は、該サービス事業者の会員であれば、アップリンク情報をＤＳＲＣ部１８に書き込むのに対し、会員でなければ、何もしない。
【００３９】
Ｓ２４では、サーバ１２は、路側機１１及びＤＳＲＣ部１８を経由してデフォルトのコンテンツをナビ部１９へ送る。Ｓ２９は２回目のメモリアクセスポーリングを示している。この時点ではＳ２０によりＤＳＲＣ部にアップリンク情報が書き込まれているので、ＤＳＲＣ部１８は、ユーザが会員であれば、アップリンク情報をサーバ１２へ通知する。
【００４０】
Ｓ３３では、サーバ１２は、アップリンク情報から取得した会員情報に基づき会員趣向に適した蓄積型コンテンツをマルチコンテンツフォーマット（図２）で編成してＩＴＳ車載器１７へ配信する。後述するように、路側装置１５は、Ｓ３３の期間中、蓄積型コンテンツの配信を１回以上、中断して、即時再生型コンテンツの配信を割込ませることもできる。Ｓ３４では、蓄積型コンテンツの配信終了を通知する。ＩＴＳ車載器１７を搭載する自動車１３は、配信終了に伴い路側機１１との通信エリアから退出する。
【００４１】
図９はＩＴＳ車載器１７から路側装置１５へ送られるアップリンク情報のデータ説明図である。アップリンク情報は、複数のタグで送られる。タグ１には、サービス事業者コード、目的地（緯度経度）、経由地（緯度経度）１〜５、累計走行距離、嗜好ジャンルデータバージョン、嗜好ジャンルデータ、会員情報１〜８が含められる。タグ２には、サービス事業者コード、過去立寄り地（緯度経度）１〜４１が含められる。タグ３には、サービス事業者コード、過去立寄り地（緯度経度）４２〜８２が含められる。
【００４２】
タグ４には、サービス事業者コード、受信／再生履歴（受信情報コード及び再生識別フラグ）１〜１２３が含められる。タグ５には、サービス事業者コード、受信／再生履歴（受信情報コード及び再生識別フラグ）１２４〜２４６が含められる。
【００４３】
図１０はＩＤ＝８０の嗜好データの一例をテーブル表現した説明図である。嗜好データは、嗜好データ番号、嗜好データ表示用テキスト、嗜好データ表示用ネスト、嗜好データ対象識別子、嗜好データデフォルト値、表音文字列により構成される。嗜好データ番号は、０〜１２７ の最大、計１２８個存在し、サービス業者が各データ番号の項目を自由に設定することができる。１２８の項目の内、最大９６項目がＳ３０（図４）でＩＴＳ車載器１７から路側装置１５へアップリンク情報として通知される。
【００４４】
アップリンク情報として通知される９６項目中、１２ 項目は、公共情報提供サービス目的に利用され、ＤＳＲＣ通信において情報提供を行う際にはデフォルトで配信する情報項目となっている。図１０の嗜好データテーブルにおいて、表示用ネストは、各項目（図１０のデータ番号に対応する。）の階層を意味し、大きい数値ほど、下の階層を意味している。対象識別子は、それが"０"となっている項目は、ナビ部１９における嗜好データのチェック付け画面（後述の図１１）においてチェック対象となっていないことを意味し、それが"１"となっている項目は、該チェック付け画面においてチェック対象となっていることを意味する。デフォルト値は、それが"０"となっている項目は、チェック付けの初期画面にチェック無しで表示することを意味し、それが"１"となっている項目は、チェック付けの初期画面にチェック有りで表示することを意味する。
【００４５】
図１１は路側装置１５から嗜好データを受信したＩＴＳ車載器１７がナビ部１９の表示器に表示するチェック付けの画面の一例である。ユーザはスクロールバー２３をドラッグすることにより画面を上下方向へスクロールすることができる。図１１において、ユーザがオンボタンをクリックすると、チェックを付けたことになり、オフボタンをクリックすると、チェックを外したことになる。各項目において、"オン"及び"オフ"の内、が斜体になっている方をユーザが選択したことを意味している。
【００４６】
図１１は、路側装置１５から嗜好データを受信したＩＴＳ車載器１７がナビ部１９の表示器に最初に表示するチェック付けの画面であり、受信した嗜好データのデフォルト値が"０"（例：図１０のバーゲン情報及びクーポン情報）である項目はオフ（チェック無し）となっており、また、受信した嗜好データのデフォルト値が"１"（例：図１０の駐車場情報）である項目はオン（チェック有り）となっている。
【００４７】
図１２は路側装置１５よりＩＴＳ車載器１７へ配信される複数のコンテンツＧ１〜Ｇ６についての遷移関係を示している。マルチコンテンツフォーマットでは、各コンテンツは、ＩＤ＝３０の次再生情報コード（図５）を使用して、最大８つの遷移先コンテンツを指定できるようになっている。図１２の各矢印において、元側のコンテンツが遷移元、先側のコンテンツが遷移先となっている。コンテンツＧ１に対してその遷移先コンテンツはＧ２又はＧ３である。コンテンツＧ２に対してその遷移先コンテンツはＧ４又はＧ５である。コンテンツＧ３に対してその遷移先コンテンツはＧ５又はＧ６である。
【００４８】
図１３は図１２のコンテンツＧ１に対応する画面例である。該画面では、ユーザに○○市役所付近の病院について２つの項目"１．診療科から探す"及び"２．町名から探す"の内から１つを選択するように案内しており、画面の下辺部には、ボタン"１"，"２"が表示されている。該ディスプレイはタッチスクリーンであり、ユーザがボタン"１"をタッチすると、コンテンツＧ２が再生され、ボタン"２"をタッチすると、コンテンツＧ３が再生される。
【００４９】
図１４は図１２のコンテンツＧ２に対応する画面例である。該画面では、ユーザに"１．眼科"及び"２．小児科"の内から１つを選択するように案内しており、画面の下辺部には、ボタン"１"，"２"が表示されている。ユーザがボタン"１"をタッチすると、コンテンツＧ４が再生され、ボタン"２"をタッチすると、コンテンツＧ５が再生される。
【００５０】
その他のコンテンツＧ３〜Ｇ６に対応する画面も同様に表示される。こうして、各コンテンツの再生画面では、該コンテンツに対して遷移先のコンテンツへ切替えるボタンが表示され、ユーザは、各コンテンツの再生画面でボタンを選択してタッチしていくことにより、所望のコンテンツ画面へ進むことができる。各ボタンに対応付けられている遷移先コンテンツは、前述したＩＤ＝３０の次再生情報コードに基づいている。
【００５１】
図１５は再生指示ルーチンのフローチャートである。該再生指示ルーチンは、コンテンツの再生指示を受け付けると、起動する。ＩＴＳ車載器１７における再生指示とは、ツリー構造（例：図１２）内の別の情報グループからのＩＤ＝３０の再生情報コードの基づく遷移や、ＩＴＳ車載器１７のお気に入りリストのような機能によって、情報グループのＩＤ＝１０の対象地点情報内の表示用文字データ、表示画像データ、発話用表音文字列、圧縮音声データ、ビデオデータ等の再生・表示を要求する（要求される）ことを指すものとする。
【００５２】
また、情報グループにおいてコンテンツとは、具体的には、ＩＤ＝１０の対象地点情報（図４）内の表示用文字データ、表示画像データ、対象地点発話用表音文字列、圧縮音声データ、ビデオデータと、ＩＤ＝２０の情報提供地点（図５）内の画像、表音文字列及び圧縮音声を指すものとする。
【００５３】
Ｓ１０１では、現在日時と再生指示された情報グループのＩＤ＝０４の有効期限の内容を比較し、有効期限開始前であるか否かを判定し、有効期限開始前であれば、Ｓ１０４へ進んで、期限前再生処理ルーチンを実施し、有効期限開始後であれば、Ｓ１０２へ進む。
【００５４】
Ｓ１０２では、有効期限終了後であるか否かを判定し、有効期限終了後であれば、Ｓ１０３へ進んで、期限後再生処理ルーチンを実施し、また、有効期限終了前であれば、Ｓ１０５へ進む。
【００５５】
Ｓ１０５では、再生を指示された情報グループのＩＤ＝１０の対象地点情報に含まれているコンテンツを再生する。
【００５６】
図１６は期限前処理ルーチン（図１５のＳ１０４）のフローチャートである。図１６以降の各フローチャートでは、有効期限前再生禁止フラグ、有効期限後再生禁止フラグ、有効期限前代替画面許可フラグ及び有効期限後代替画面許可フラグを適宜参照することになっている。情報グループにおけるこれらフラグの格納場所について先に説明する。
【００５７】
有効期限前再生禁止フラグ、有効期限後再生禁止フラグ、有効期限前代替画面許可フラグ及び有効期限後代替画面許可フラグを情報グループ内の全ての"コンテンツ"に一律に適用する場合は、ＩＤ＝０３の再生条件又はＩＤ＝０４の有効期限のいずれかに格納する。
【００５８】
情報グループに複数含まれている各コンテンツごとに有効期限前再生禁止フラグ等を設定することもできる。例えば新作映画の広告を目的とする情報グループがＩＤ＝１０の対象地点情報内にビデオデータと圧縮音声データを持っており、ビデオデータにのみ有効期限前再生禁止フラグが付与されているとする。この場合、設定された有効期限の開始前は音声のみ聴くことは可能であるが、映像を見ることはできず、有効期限開始後は映像と音声を合わせて視聴することが可能になり、効果的なプロモーションを行うことができる。また、ＩＤ＝２０の情報提供地点内にも、各コンテンツ（画像、ビデオ、音声等）ごとに有効期限前再生禁止フラグ及び有効期限後再生禁止フラグ等を付与することができる。
【００５９】
図１７〜図１９はそれぞれＩＤ＝０３，１０，２０に有効期限前再生禁止フラグ等を割り当てた分類表である。有効期限前再生禁止フラグ等は現在のタウンカーライフナビの仕様で未使用（空き）となっているビットに割り当てられている。なお、図１７〜図１９において、これらフラグの記入位置を明確にするために、これらフラグについての項目及び表現形式は斜字で表記している。
【００６０】
なお、代替画面の表示の必要性が考えられるのはＩＤ＝１０の対象地点情報内の表示画像データとビデオデータのみであるので、この２つには有効期限前再生禁止フラグ、有効期限後再生禁止フラグ、有効期限前代替画面許可フラグ及び有効期限後代替画面許可フラグの４ｂｉｔを、他のコンテンツには有効期限前再生禁止フラグ及び有効期限後再生禁止フラグの２ｂｉｔを付加する。
【００６１】
図１６に戻り、Ｓ１１１では、再生指示されたコンテンツに対応付けられた有効期限前再生禁止フラグがセットされているか否かを判定し、セットされていないときは、Ｓ１１２へ進んで、この情報は有効期間前である旨のメッセージを表示したり、発話したりしてから、Ｓ１１３でＩＤ＝１０の対象地点情報に含まれているコンテンツを再生する。
【００６２】
図２０はＳ１１２，Ｓ１１３の処理に基づき表示するメッセージ付き再生画面である。この画面例ではメッセージを再生画像に重ねて表示している。このような表示をする場合、メッセージの下になった部分の再生画像が見えなくなるので、メッセージのウィンドウ及び他のボタン（図２０にはボタンは図示されていない。）をタッチしたり、又はそれら以外の部分をタッチしたりすると、メッセージが消えるにようにプログラムすることができる。また、該ウィンドウをタッチしつつドラッグして、メッセージを移動するようにプログラムすることもできる。
【００６３】
Ｓ１１１において、フラグがセットされていると判定されたときは、Ｓ１１４へ進んで、この情報は有効期間前のため表示（再生）できないという旨のメッセージの表示又は発話を行う。該メッセージを一定時間、表示してから、再生指示をした画面（前の情報グループの画面や、お気に入りリストの画面）に戻るようにしたり、メッセージのほかに戻るボタンを表示し、このボタンがタッチされたら、再生指示をした画面に戻るようにしたりしてもよい。図２１はＳ１１４で表示する画面の例を示している。
【００６４】
図２２は期限後処理ルーチン（図１５のＳ１０３）のフローチャートである。Ｓ１２１では、有効期限後再生禁止フラグがセットされているか否かを判定し、セットされていないときは、Ｓ１２２へ進んで、「この情報は有効期限が切れている。」又は「表示される内容は古い情報の可能性がある。」等の旨のメッセージを表示したり発話したりしてから、Ｓ１２３でＩＤ＝１０の対象地点情報に含まれているコンテンツを再生する。図２３はＳ１２１，Ｓ１２２の処理に基づきメッセージ付き再生画面の例である。この表示例では、再生画像を縮小し、その余白部分にメッセージを表示している。
【００６５】
Ｓ１２１で、フラグがセットされていると判定されたときは、「この情報は有効期限を過ぎているため表示することが出来ません。」という旨のメッセージの表示（図２４）又は発話を行う。該メッセージを一定時間、表示してから、再生指示をした画面（前の情報グループの画面や、お気に入りリストの画面）に戻る。あるいは、メッセージのほかに戻るボタンを表示し、このボタンがタッチされたら再生指示をした画面に戻るようにしてもよい。
【００６６】
路側機１１から配信される情報は、複数の情報グループが、各情報グループのＩＤ＝３０の遷移情報によって結び付けられたツリー構造になっている（例：図１２）。ＩＴＳ車載器１７は情報グループのＩＤ＝１０の対象地点情報内のコンテンツを再生するとき、同時に遷移情報に基づいてボタンを生成し、ユーザがそのボタンをタッチすることにより他の情報グループへ遷移することができる仕組みになっている（例：図１３及び図１４）。
【００６７】
ところで、前述した有効期限前再生禁止フラグ及び有効期限後再生禁止フラグに基づき情報グループの再生が禁止されると、その情報グループの遷移情報によって遷移する他の情報グループも同時に再生できなくなる可能性がある。ただし、別の情報グループからも遷移できるようなツリー構造であったり、お気に入りリストに登録されていたりすれば再生できる。しかし、そうでない場合は、その情報グループへ辿り着く道が断たれてしまうため、再生できなくなる。
【００６８】
そこで、有効期限前再生禁止フラグ及び有効期限後再生禁止フラグがセットされていても、遷移情報に基づいてボタンを生成し、他の情報グループへの遷移ができるようにすることが望まれる。図２５は再生が禁止されていない情報グループを再生したときの画面の例である。図２５の画面の数字ボタン３０はＩＴＳ車載器１７によりＯＳＤ（オンスクリーンディスプレイ）等で生成されるが、各数字ボタン３０をタッチすることによって遷移する先の情報グループの見出し３１はＯＳＤで表示されたものではなく、背景となっている画像、すなわちＩＤ＝１０の対象地点情報内の静止画の一部となっている。したがって、有効期限外であるために再生が禁止されている場合は、静止画は表示されずボタンだけが表示されることになり、ユーザはボタンをタッチしたときにどのようなコンテンツへ遷移するのか知ることができなくなる。
【００６９】
これに対処し、有効期限外であるために再生が禁止されているときは、静止画の代替として、ＩＤ＝３０の遷移情報内の記述された次再生情報コードで指定される情報グループのＩＤ＝０２の情報提供企業コード内にある情報表示用テキストを用いて遷移先の項目を表示するようにする。図２６はこの代替画面の例である。該画面において、数字ボタン３０は図２５の画面と同様にＩＴＳ車載器１７により生成している。図２６では、各数字ボタン３０に対応付けている遷移先の見出し３２もＩＴＳ車載器１７により生成される。なお、遷移先の見出し３２と数字ボタン３０とを一体化してしまってもよい。すなわち、図２６の各見出し３２自体を、タッチによりそれに対応付けた遷移先へ遷移するにボタンとしてしまい、数字ボタン３０は表示を省略する。
【００７０】
また、このような代替画面の表示をしてもよいか否かを規定する有効期限前代替画面許可フラグ及び有効期限後代替画面許可フラグを、情報グループ内の全部のコンテンツに適用して設定する場合には、ＩＤ＝０３の再生条件内又はＩＤ＝０４の有効期限内に設定し（図１７の斜字）、また情報グループ内のコンテンツごとに適用して設定する場合には、ＩＤ＝１０の対象地点情報内及びＩＤ＝２０の情報提供地点内に設定する（図１８及び図１９の斜字）。
【００７１】
図２７は代替画面表示付き期限前再生処理ルーチンのフローチャートである。なお、図２７の期限前再生処理ルーチンにおいて、前述の図１６の期限前処理ルーチンのステップと処理内容の同一のステップは、図１６の期限前処理ルーチンのステップと同一番号を付して、説明を省略し、相違点について述べる。図２７の期限前再生処理ルーチンでは、図１６の期限前処理ルーチンに対してＳ１３４，Ｓ１３６，Ｓ１３７が追加される。
【００７２】
Ｓ１３４は、Ｓ１１１の判定が正である場合に実施され、情報グループにＩＤ＝３０の遷移情報の次再生情報コードが存在するか否かを調べ、 存在するときは、Ｓ１３６へ進み、存在しないときは、Ｓ１１４へ進む。Ｓ１３６では、有効期限前代替画面許可フラグがセットされているか否かを判定し、判定が正であるときは、Ｓ１３７の代替画面表示ルーチンを実施し、否であるときは、Ｓ１１４へ進む。Ｓ１３７については、図２９において後述する。
【００７３】
図２８は代替画面表示付き期限後再生処理ルーチンのフローチャートである。なお、図２８の期限後再生処理ルーチンにおいて、前述の図２２の期限後処理ルーチンのステップと処理内容の同一のステップは、図２２の期限後処理ルーチンのステップと同一番号を付して、説明を省略し、相違点について述べる。図２８の期限後再生処理ルーチンでは、図２２の期限後処理ルーチンに対してＳ１３７，Ｓ１４４，Ｓ１４５が追加される。図２８のＳ１３７は、図２７のＳ１３７と同一であり、図２９において後述する。
【００７４】
Ｓ１４４は、Ｓ１２１の判定が正である場合に実施され、情報グループにＩＤ＝３０の遷移情報の次再生情報コードが存在するか否かを調べ、 存在するときは、Ｓ１４６へ進み、存在しないときは、Ｓ１２４へ進む。Ｓ１４６では、有効期限後代替画面許可フラグがセットされているか否かを判定し、判定が正であるときは、Ｓ１３７の代替画面表示ルーチンを実施し、否であるときは、Ｓ１２４へ進む。
【００７５】
図２９は代替画面表示ルーチンのフローチャートである。前述したように、該代替画面表示ルーチンは図２７及び図２８のルーチンにおけるＳ１３７に相当する。
【００７６】
Ｓ１５１では、変数ｎ＝１とする。Ｓ１５２では、ＩＤ＝３０の遷移情報に次再生情報コードｎがあるか否かを調べる。そして、次再生情報コードｎが無ければ、Ｓ１５６へ進み、有れば、Ｓ１５３へ進む。Ｓ１５３では、その次再生情報コードｎで指定される情報グループのＩＤ＝０２の情報提供企業情報内にある情報表示テキストを読み取る。Ｓ１５４では、読み取ったテキストと変数ｎとを画面に表示する（例：図２６の見出し３２）。Ｓ１５５では、数字ｎのボタンを表示する（例：図２６の数字ボタン３０）。
【００７７】
Ｓ１５６において、ｎ＝８であるか否かを判定し、ｎ＝８であれは、該ルーチンを終了し、ｎ≠８であれは、Ｓ１５７へ進んで、ｎを１だけインクリメントする。Ｓ１５７の後、Ｓ１５２へ戻る。
【００７８】
Ｓ１５６において、ｎを８と対比したのは、図５のＩＤ＝３０の遷移情報で示したように、次再生情報コードの最大数は８となっているからであり、ＩＤ＝３０の遷移情報に記述される次再生情報コードの最大数が８ではなくＮのときは、Ｓ１５６ではｎ＝Nてあるか否かを判定することになる。
【００７９】
次に有効期限切れコンテンツの削除処理について説明する。該削除処理のために、情報グループに有効期限後削除フラグを設定する。有効期限後削除フラグは、例えばＩＤ＝０３の再生条件又はＩＤ＝０４の有効期限のどちらかに設定する。このフラグがセットされている情報グループは、その有効期限が過ぎた時に自動的にＩＴＳ車載器１７の記憶装置（ハードディスク等）から削除されるようにする。このフラグを用いることで、使用権の期間が限定されているコンテンツを配信した際、期限経過後にそのコンテンツの視聴をできなくするとともに、記憶装置から削除して、不正に使用されないようにすることができるようになる。
【００８０】
削除処理は、有効期限が切れた時に速やかに行うため、バックグラウンドで行う。該削除処理には、図３０の前段の有効期限切れ削除処理１と図３２の後段の有効期限切れ削除処理２とがある。前段の有効期限切れ削除処理１では、コンテンツの削除と共に削除テーブルへの所定情報グループの登録を行う。後段の有効期限切れ削除処理２では、削除テーブルに基づき対応のコンテンツの削除を行う。
【００８１】
図３０の前段の有効期限切れ削除処理１は、ＩＴＳ車載器１７が起動された時（電源がオンされた時）に１回目が実施され、その後、Ｔ（該Ｔは後述のＳ２０６のＴと同一のもの）時間置きに実施される。Ｓ２０１では、変数ｍを１に初期化する。Ｓ２０２では、記憶されているｍ番目の情報グループには有効期限後削除フラグがセットされているか否かを判定し、判定が正であるときは、Ｓ２０３へ進み、否であるときは、Ｓ２０６へ進む。Ｓ２０３では、情報グループの有効期限は終了しているか否かを判定し、判定が正であるときは、Ｓ２０４へ進み、否であるときは、Ｓ２０６へ進む。
【００８２】
Ｓ２０４では、Ｓ２０３で有効期限切れと判断した情報グループのコンテンツが削除済みか否かを判定し、判定が正であれば、Ｓ２０８へ進み、否であれば、Ｓ２０５へ進む。なお、ここで、コンテンツとは、ID=１０の対象地点情報内の表示用文字データ、表示画像データ、対象地点発話用表音文字列、圧縮音声データ及びビデオデータ、並びにID=２０の情報提供地点内の画像、表音文字列及び圧縮音声を指す。
【００８３】
Ｓ２０４の判定が否であるときは、Ｓ２０５へ進み、コンテンツを削除する。同時にＩＤ＝００の内容も変更する。これにより、S２０４の判定はＩＤ＝００の内容を確認するだけで済ませることができる。Ｓ２０５の後、Ｓ２０８へ進む。
【００８４】
Ｓ２０６では、ｍ番目の情報グループの有効期限の終了が現在時刻からあらかじめ決められた時間Ｔ（例：２４時間）以内であるか否かを判定し、判定が正であれば、Ｓ２０７へ進み、否であれば、Ｓ２０８へ進む。Ｓ２０７では、ｍ番目の情報グループを削除テーブルに追加してから、Ｓ２０８へ進む。
【００８５】
図３１は該削除テーブルの一例である。情報グループに対し、そのリスト番号、情報グループの情報コード、有効期限としての終了時刻及び削除フラグが登録項目となっている。削除フラグの初期値はクリアとされる。時間Ｔが２４時間以内であれば、終了時刻は、日付を省略して時分秒だけを登録すれば十分である。
【００８６】
図３０へ戻り、Ｓ２０８では、現在のｍ番目の情報グループは記憶されている最後の情報グループであるか否かを判定し、判定が正であれば、図３０のルーチンを終了し、否であれば、Ｓ２０９へ進んで、ｍを１だけインクリメントしてから、Ｓ２０２へ戻る。
【００８７】
図３２の有効期限切れ削除処理２はタイマ割り込み等により一定時間間隔（例：１秒間隔）で実施される。Ｓ２２１では、変数ｉを１で初期化する。Ｓ２２２では、削除テーブルのｉ番目の削除フラグがセットされているか否かを判定し、判定が否であれば、Ｓ２２３へ進み、正であれは、Ｓ２２６へ進む。
【００８８】
Ｓ２２３では、削除テーブルのｉ番目に記載された有効期限終了時刻が過ぎているか否かを判定し、判定が正であれば、Ｓ２２４へ進み、否であれば、Ｓ２２６へ進む。Ｓ２２４では、削除テーブルのｉ番目の情報コードにより指定される情報グループのコンテンツを削除する。Ｓ２２５では、削除テーブルのｉ番目の削除フラグをセットし、その後、Ｓ２２６へ進む。削除フラグがセットされていることは、対応するコンテンツの削除が済んだことを意味する。
【００８９】
Ｓ２２６では、ｉが削除テーブルの最後のものであるか否かを判定し、判定が正であれば、該削除処理ルーチン２を終了し、否であれば、Ｓ２２７へ進んで、ｉを１だけインクリメントしてから、Ｓ２２２へ戻る。
【００９０】
前述の図３０の有効期限切れ削除処理１では、ＩＴＳ車載器１７の起動時及びその後はＴ時間間隔で、Ｓ２０７の削除テーブルへの削除予定コンテンツの登録が実施されるが、削除テーブルへの削除予定コンテンツの登録はＩＴＳ車載器１７が路側機１１から情報グループを受信する時に行うこともできる。図３３はＩＴＳ車載器１７が路側機１１から情報グループを受信する時に（厳密には受信が終了しだい）削除テーブルに削除予定コンテンツを登録するルーチンのフローチャートである。
【００９１】
図３３のルーチンにおいて、図３０の有効期限切れ削除処理１のステップと同一のステップは、同一番号を付している。該ルーチンでは、図３０の有効期限切れ削除処理１のＳ２０３〜Ｓ２０６が省略され、Ｓ２０２において、ｍ番目の情報グループには有効期限後削除フラグがセットされているか否かを判定し、判定が正であれば、直ちに、Ｓ２０７へ進んで、該ｍ番目の情報グループを削除テーブルに登録する。
【００９２】
図３２の後段の有効期限切れ削除処理ルーチンは、図３３のルーチンで作成した削除リストに対して実際に削除を行う実行ルーチンとしても使用される。Ｓ２０７では、削除テーブルに登録する有効期限終了時刻には、年月日を省略せずに、年月日時分秒を記録する必要がある。なぜならば削除テーブルに登録されている幾つかのコンテンツについては、図３２の後段の有効期限切れ削除処理ルーチンにおいて削除する日時が情報グループの受信日時より２４時間以上後の日時になる可能性があるからである。
【００９３】
図３４は有効期限後再生禁止フラグと共に有効期限後削除フラグも使って有効期限後のコンテンツ再生について処理するルーチンのフローチャートである。図３４の期限後再生処理ルーチンにおいて、図２８の期限後再生処理ルーチンのステップと同一のステップは同一の番号を付して、説明を省略し、図２８の期限後再生処理ルーチンとの相違点について述べる。
【００９４】
図３４の期限後再生処理ルーチンは、図２８の期限後再生処理ルーチンに対してＳ２６７，Ｓ２６９が追加されている。Ｓ２６７は、Ｓ１４４において、再生指示対象の情報グループに次再生情報コードが存在しないと判断されたとき、実施され、有効期限後再生禁止フラグがセットされているか否かを判定し、判定が正であれば、Ｓ１２４へ進み、否であれは、Ｓ２６９へ進む。Ｓ２６９では、「この情報は有効期間が経過したため、削除された」という旨のメッセージの表示又は発話を行う。
【００９５】
タウンカーライフナビの仕様では、エリアインした際に車載器から路側機（サーバ）へ会員情報をアップリンクするため、サーバはこの会員情報に基いて、上記の「有効期限前再生禁止フラグ」、「有効期限後再生禁止フラグ」及び「有効期限後削除フラグ」の値を変えるようにすることもできる。例えば、有料会員と無料会員がいる場合、バーゲンの告知をする情報グループの「有効期限前再生禁止フラグ」は無料会員にだけセットして送信する。これにより、有料会員はその情報グループの有効期間前にその告知を見ることができるが、無料会員は有効期間になってからでないと告知を見ることができない。あるいは、音楽コンテンツ等の配信をする場合に、無料会員だけ「有効期限後削除フラグ」をセットして配信するようにする。これにより、有料会員は配信されたコンテンツをいつでも楽しむことができるが、無料会員は定められた期間だけしか視聴することができなくなる。
【００９６】
図３５はセンタ装置３００の機能ブロック図である。センタ装置３００の具体例はサーバ１２である。センタ装置３００は、制御情報作成手段３０３及び配信手段３０４を備える。センタ装置３００は、さらに、受信手段３０１及び会員ステータス検出手段３０２を備えることもできる。
【００９７】
制御情報作成手段３０３は、車載器へ配信するコンテンツが車載器において有効期限外であるときの該車載器における該コンテンツの処理を制御する制御情報を作成する。配信手段３０４は、コンテンツとその有効期限の情報と制御情報とを含むコンテンツ情報を、路側機３０７を介して無線配信する。
【００９８】
コンテンツ情報の具体例は情報グループ（図２）である。制御情報の具体例は、図１６等において説明した有効期限前再生禁止フラグ、有効期限後再生禁止フラグ及び有効期限後削除フラグ等である。車載器は、センタ装置３００からのコンテンツの処理において該コンテンツの制御情報に基づいた処理を実施する。車載器において有効期限外であるときの該車載器における該コンテンツの処理とは、例えば有効期限外時におけるコンテンツの再生の可否や記憶媒体から削除等である。有効期限外には、有効期限前及び有効期限後の一方のみ又は両方を含むものとする。
【００９９】
こうして、センタ装置３００は、車載器におけるコンテンツ有効期限に係るコンテンツ処理が所定のものになるように、車載器に仕向けることができる。。
【０１００】
好ましくは、受信手段３０１は、路側機３０７を介して車載器からそのユーザＩＤを無線で受信し、会員ステータス検出手段３０２は、ユーザＩＤに対応付けられている会員ステータスを検出する。これに対して、制御情報作成手段３０３は、制御情報を会員ステータスに基づき作成する。
【０１０１】
制御情報を会員ステータスに基づき作成することにより、配信コンテンツについての車載器における処理を、例えば無料会員向けと有料会員向けとして異なるもの仕向けることができる。制御情報を、会員ステータス別でなく、会員別に作成してもよい。
【０１０２】
図３６は車載器３１０の機能ブロック図である。車載器３１０の具体例はＩＴＳ車載器１７である。車載器３１０は、受信手段３１１、情報抽出手段３１２、現在日時検出手段３１３及び再生制御手段３１４を備える。車載器３１０は、追加的に、代替画面生成手段３１７を備えることもできる。
【０１０３】
受信手段３１１は、コンテンツを含むコンテンツ情報を路側機３０７から無線で受信する。情報抽出手段３１２は、再生指示のコンテンツに対してそのコンテンツ情報から該コンテンツの有効期限及び有効期限外再生可否の情報を抽出する。
【０１０４】
現在日時検出手段３１３は、現在の日時を検出する。再生制御手段３１４は、再生指示のコンテンツに対して検出現在日時が有効期限外でありかつ有効期限外の再生が否である場合には、該コンテンツを再生しないようにする。
【０１０５】
コンテンツは、１つのコンテンツ情報に１つだけでなく、複数、含まれることもある。再生指示は、典型的には、ユーザにより行われるものであるが、所定の地点に到達したリ、所定の時刻になったりすると、自動的に生成されるものであってもよい。
【０１０６】
こうして、車載器３１０において、有効期限外のコンテンツについては、その再生指示にもかかわらず再生を行わないことにより、コンテンツを適切な期間に限定して、再生するようにすることができる。
【０１０７】
好ましくは、情報抽出手段３１２は、再生指示のコンテンツに対してその遷移先コンテンツの情報を該再生指示のコンテンツのコンテンツ情報から抽出する。また、代替画面生成手段３１７は、再生指示のコンテンツに対してその遷移先コンテンツが存在する場合には、該遷移先コンテンツへ進む操作ボタン付きの代替画面を生成する。これに対し、再生制御手段３１４は、再生指示のコンテンツに対して検出現在日時が有効期限外でありかつ有効期限外の再生が否である場合には、操作ボタン付きの代替画面を再生指示のコンテンツの再生画面に代えて表示する。 
【０１０８】
ボタン付きの代替画面を表示する具体例は図２７の代替画面表示付き期限前再生処理ルーチンにおけるＳ１３６正→Ｓ１３７及びＳ１３６否→Ｓ１１４と、図２８は代替画面表示付き期限後再生処理ルーチンにおけるＳ１４６正→Ｓ１３７及びＳ１４６否→Ｓ１２４とである。
【０１０９】
操作ボタンを操作することにより再生される遷移先コンテンツがおおよそどのようなものかをユーザが知ることができることは便利である。車載器３１０は、これに対処した構成を備えることができる。すなわち、情報抽出手段３１２は、再生指示のコンテンツに対してその遷移先コンテンツの内容に関するテキストを該遷移先コンテンツのコンテンツ情報から抽出する。代替画面生成手段３１７は、操作ボタン付きの代替画面に該操作ボタンの表示に対応付けて遷移先コンテンツの内容に関するテキストを表示する。
【０１１０】
遷移先コンテンツの内容に関するテキストであって遷移先コンテンツのコンテンツ情報から抽出するテキストの具体例は、例えば提供企業のテキストである。この具体的画面は図２６のものであり、ユーザは、見出し３２のテキストを見て、数字ボタン３０をタッチすることより遷移するコンテンツの概要を把握することができる。
【０１１１】
図３７は車載器３３０の機能ブロック図である。車載器３３０の具体例はＩＴＳ車載器１７である。車載器３３０は、受信手段３３１、保存手段３３２、情報抽出手段３３３、有効期限判定手段３３４及びコンテンツ削除手段３３５を備える。車載器３３０は、追加的に、リスト登録手段３３９を備えることもできる。
【０１１２】
受信手段３３１は、コンテンツを含むコンテンツ情報を路側機３０７から無線で受信する。保存手段３３２は、受信したコンテンツ情報を記憶媒体３３７に保存する。情報抽出手段３３３は、保存コンテンツに対してそのコンテンツ情報から有効期限の情報を抽出する。
【０１１３】
有効期限判定手段３３４は、保存コンテンツが有効期限切れであるか否かの第１の判定を有効期限の情報に基づき判定する。コンテンツ削除手段３３５は、第１の判定が正であればその判定対象の保存コンテンツを記憶媒体３３７から削除する。
【０１１４】
こうして、記憶媒体３３７から無用なコンテンツを処分し、無用な再生を回避したり、記憶媒体３３７の記憶残量を増大したりすることができる。
【０１１５】
好ましくは、有効期限判定手段３３４は、所定のイベント発生に伴い保存コンテンツに対してその有効期限切れが所定時間以内であるか否かの第２の判定を有効期限の情報に基づき判定する。リスト登録手段３３９は、第２の判定が正であればその判定対象の保存コンテンツをその有効期限と共に削除予定リストに登録する。コンテンツ削除手段３３５は、削除予定リストにおいて有効期限切れとなっている保存コンテンツを一定時間間隔で検索し該当の保存コンテンツを記憶媒体から削除する。
【０１１６】
イベントは、例えば、所定時刻が到来したこと、前回の起動から一定時間が経過したこと、車載器センタ装置３００の電源が投入されたこと、又はコンテンツを路側機３０７から受信したこと等である。典型的には、コンテンツ削除手段３３５が起動して削除予定リストを参照する一定時間間隔はイベント発生時間間隔より大とする。
【０１１７】
このように、第１段階として削除予定リストを作成し、第２段階として該削除予定リストを参照して、コンテンツを削除する２段階方式を採用した理由は、コンテンツの個数が増大すると、全部のコンテンツの有効期限を確認するのに、手間取るからである。第１段階の削除予定リストは、例えば、車載器３３０の起動時とか、路側機３０７からのコンテンツの受信時とかの限定されたタイミングで行い、第２段階は、例えば１秒間隔とかで頻繁に行うことにする。こうすれば、第２段階では、処理対象の１３６の個数を絞り込むことができるとともに、コンテンツをそれが有効期限切れとなりしだい遅滞なく削除することができる。
【０１１８】
好ましくは、コンテンツ削除手段３３５は、保存コンテンツのみを記憶媒体３３７から削除して、該保存コンテンツのコンテンツ情報に含まれるその他の情報は記憶媒体３３７に残す。その他の情報とは、例えば、コンテンツ情報の識別子（例：図２の情報グループにおけるＩＤ＝０２の情報コード）や遷移先コンテンツ情報の識別子（例：図５の情報グループにおけるＩＤ＝３０の次再生情報コード１〜８）である。
【０１１９】
図３８はコンテンツ情報配信方法３５０のフローチャートである。コンテンツ情報配信方法３５０はセンタ装置３００（図３５）に対応する。Ｓ３５１では、車載器へ配信するコンテンツが車載器において有効期限外であるときの該車載器における該コンテンツの処理を制御する制御情報を作成する。Ｓ３５２では、コンテンツとその有効期限の情報と制御情報とを含むコンテンツ情報を、路側機３０７を介して無線配信する。
【０１２０】
Ｓ３５１，Ｓ３５２の処理はセンタ装置３００（図３５）の制御情報作成手段３０３及び配信手段３０４の機能にそれぞれ対応する。制御情報作成手段３０３及び配信手段３０４の機能について述べた具体的態様は、Ｓ３５１，Ｓ３５２の処理の具体的態様としてもそれぞれ適用可能である。コンテンツ情報配信方法３５０では、また、センタ装置３００の受信手段３０１及び会員ステータス検出手段３０２の機能に対応する処理を実行するステップを追加可能である。受信手段３０１及び会員ステータス検出手段３０２に対応するステップは、その順番に並べて、Ｓ３５１の前に挿入する。
【０１２１】
図３９はコンテンツ情報処理方法３６０のフローチャートである。コンテンツ情報処理方法３６０は車載器３１０（図３６）に対応する。Ｓ３６１では、コンテンツを含むコンテンツ情報を路側機３０７から無線で受信する。Ｓ３６２では、コンテンツに対する再生指示が有るか否かを判定し、判定が正であれば、Ｓ３６３へ進み、否であれば、コンテンツ情報処理方法３６０を終了する。Ｓ３６３では、再生指示のコンテンツに対してそのコンテンツ情報から該コンテンツの有効期限及び有効期限外再生可否の情報を抽出する。
【０１２２】
Ｓ３６４では、現在の日時を検出する。Ｓ３６５では、再生指示のコンテンツに対して検出現在日時が有効期限外でありかつ有効期限外の再生が否であるを判定し、判定が正であれば、Ｓ３６６へ進み、否であれば、コンテンツ情報処理方法３６０を終了する。Ｓ３６６では、該再生指示のコンテンツを再生しないようにする。
【０１２３】
Ｓ３６１，Ｓ３６３，Ｓ３６４，Ｓ３６６の処理は車載器３１０（図３６）の受信手段３１１、情報抽出手段３１２、現在日時検出手段３１３及び再生制御手段３１４の機能にそれぞれ対応する。受信手段３１１、情報抽出手段３１２、現在日時検出手段３１３及び再生制御手段３１４の機能について述べた具体的態様は、Ｓ３６１，Ｓ３６３，Ｓ３６４，Ｓ３６６の処理の具体的態様としてもそれぞれ適用可能である。コンテンツ情報処理方法３６０では、また、車載器３１０の代替画面生成手段３１７の機能に対応する処理を実行するステップを追加可能である。代替画面生成手段３１７に対応するステップは、Ｓ３６６の直前又は直後に挿入する。
【０１２４】
図４０はコンテンツ情報処理方法３７０のフローチャートである。コンテンツ情報処理方法３７０は車載器３３０（図３７）に対応する。Ｓ３７１では、コンテンツを含むコンテンツ情報を路側機３０７から無線で受信する。Ｓ３７２では、受信したコンテンツ情報を記憶媒体３３７に保存する。
【０１２５】
Ｓ３７３では、保存コンテンツに対してそのコンテンツ情報から有効期限の情報を抽出する。Ｓ３７４では、保存コンテンツが有効期限切れか否かの第１の判定を有効期限の情報に基づき判定し、判定が正であれば、Ｓ３７５へ進み、否であれば、コンテンツ情報処理方法３７０を終了する。Ｓ３７５では、Ｓ３７４の判定対象の保存コンテンツを記憶媒体３３７から削除する。
【０１２６】
Ｓ３７１，Ｓ３７２，Ｓ３７３，Ｓ３７４，Ｓ３７５の処理は車載器３３０（図３７）の受信手段３３１、保存手段３３２、情報抽出手段３３３、有効期限判定手段３３４及びコンテンツ削除手段３３５の機能にそれぞれ対応する。受信手段３３１、保存手段３３２、情報抽出手段３３３、有効期限判定手段３３４及びコンテンツ削除手段３３５の機能について述べた具体的態様は、Ｓ３７１，Ｓ３７２，Ｓ３７３，Ｓ３７４，Ｓ３７５の処理の具体的態様としてもそれぞれ適用可能である。コンテンツ情報処理方法３７０では、また、車載器３３０のリスト登録手段３３９の機能に対応する処理を実行するステップを追加可能である。リスト登録手段３３９に対応するステップは、Ｓ３７４とＳ３７５との間に挿入する。
【０１２７】
本発明を適用したプログラムは、コンピュータをセンタ装置３００又は車載器３１０若しくは３３０の各手段として機能させる。本発明を適用した別のプログラムは、コンテンツ情報配信方法３５０又はコンテンツ情報処理方法３６０若しくは３７０の各ステップをコンピュータに実行させる。
【０１２８】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【０１２９】
【図１】タウンカーライフナビマルチコンテンツ形式のデータに基づく路車間ＤＳＲＣシステムの概略図である。
【図２】タウンカーライフナビマルチコンテンツ形式のデータ伝送態様の説明図である。
【図３】情報グループの構成について各ＩＤが必須か任意かを示す図である。
【図４】ダウンリンクで使用する各ＩＤに割り当てる分類表の第１の部分である。
【図５】ダウンリンクで使用する各ＩＤに割り当てる分類表の第２の部分である。
【図６】ダウンリンクで使用する各ＩＤに割り当てる分類表の第３の部分である。
【図７】ダウンリンクで使用する各ＩＤに割り当てる分類表の第４の部分である。
【図８】路側装置−ＩＴＳ車載器間のトランザクションで実施される各機器間の通信及び処理を示す図である。
【図９】ＩＴＳ車載器から路側装置へ送られるアップリンク情報のデータ説明図である。
【図１０】嗜好データの一例をテーブル表現した説明図である。
【０１３０】
【図１１】路側装置から嗜好データを受信したＩＴＳ車載器がナビ部の表示器に表示するチェック付けの画面の一例である。
【図１２】路側装置よりＩＴＳ車載器へ配信される複数のコンテンツＧ１〜Ｇ６についての遷移関係を示す図である。
【図１３】図１２のコンテンツＧ１に対応する画面例である。
【図１４】図１２のコンテンツＧ２に対応する画面例である。
【図１５】再生指示ルーチンのフローチャートである。
【図１６】期限前処理ルーチンのフローチャートである。
【図１７】情報グループのＩＤ＝３に有効期限前再生禁止フラグ等を割り当てた分類表である。
【図１８】情報グループのＩＤ＝１０に有効期限前再生禁止フラグ等を割り当てた分類表である。
【図１９】情報グループのＩＤ＝２０に有効期限前再生禁止フラグ等を割り当てた分類表である。
【図２０】図１６のルーチンにおいて有効期限前再生禁止フラグフラグがセットされていないときに表示するメッセージ付き再生画面である。
【０１３１】
【図２１】図１６のルーチンにおいて有効期限前再生禁止フラグフラグがセットされているときに表示するメッセージ画面である。
【図２２】期限後処理ルーチンのフローチャートである。
【図２３】図２２のルーチンにおいて有効期限後再生禁止フラグフラグがセットされていないときに表示するメッセージ付き再生画面である。
【図２４】図２２のルーチンにおいて有効期限後再生禁止フラグフラグがセットされているときに表示するメッセージ付き再生画面である。
【図２５】再生が禁止されていない情報グループを再生したときの画面である。
【図２６】再生禁止のコンテンツの再生画面に対する代替画面である。
【図２７】代替画面表示付き期限前再生処理ルーチンのフローチャートである。
【図２８】代替画面表示付き期限後再生処理ルーチンのフローチャートである。
【図２９】代替画面表示ルーチンのフローチャートである。
【図３０】前段の有効期限切れ削除処理ルーチンのフローチャートである。
【０１３２】
【図３１】図３０のルーチンで登録に使用する削除テーブルを示す図である。
【図３２】後段の有効期限切れ削除処理ルーチンのフローチャートである。
【図３３】情報グループの受信が終了しだい削除テーブルに削除予定コンテンツを登録するルーチンのフローチャートである。
【図３４】有効期限後再生禁止フラグと共に有効期限後削除フラグも使って有効期限後のコンテンツ再生について処理するルーチンのフローチャートである。
【図３５】センタ装置の機能ブロック図である。
【図３６】車載器の機能ブロック図である。
【図３７】別の車載器の機能ブロック図である。
【図３８】コンテンツ情報配信方法のフローチャートである。
【図３９】コンテンツ情報処理方法のフローチャートである。
【図４０】別のコンテンツ情報処理方法のフローチャートである。
【符号の説明】
【０１３３】
３００：センタ装置、３０１：受信手段、３０２：会員ステータス検出手段、３０３：制御情報作成手段、３０４：配信手段、３０７：路側機、３１０：車載器、３１１：受信手段、３１２：情報抽出手段、３１３：現在日時検出手段、３１４：再生制御手段、３１７：代替画面生成手段、３３０：車載器、３３１：受信手段、３３２：保存手段、３３３：情報抽出手段、３３４：有効期限判定手段、３３５：コンテンツ削除手段、３３７：記憶媒体、３３９：リスト登録手段、３５０：コンテンツ情報配信方法、３６０：コンテンツ情報処理方法、３７０：コンテンツ情報処理方法。
【図１】
2010044540.tif 000003
【図２】
2010044540.tif 000004
【図３】
2010044540.tif 000005
【図４】
2010044540.tif 000006
【図５】
2010044540.tif 000007
【図６】
2010044540.tif 000008
【図７】
2010044540.tif 000009
【図８】
2010044540.tif 000010
【図９】
2010044540.tif 000011
【図１０】
2010044540.tif 000012
【図１１】
2010044540.tif 000013
【図１２】
2010044540.tif 000014
【図１３】
2010044540.tif 000015
【図１４】
2010044540.tif 000016
【図１５】
2010044540.tif 000017
【図１６】
2010044540.tif 000018
【図１７】
2010044540.tif 000019
【図１８】
2010044540.tif 000020
【図１９】
2010044540.tif 000021
【図２０】
2010044540.tif 000022
【図２１】
2010044540.tif 000023
【図２２】
2010044540.tif 000024
【図２３】
2010044540.tif 000025
【図２４】
2010044540.tif 000026
【図２５】
2010044540.tif 000027
【図２６】
2010044540.tif 000028
【図２７】
2010044540.tif 000029
【図２８】
2010044540.tif 000030
【図２９】
2010044540.tif 000031
【図３０】
2010044540.tif 000032
【図３１】
2010044540.tif 000033
【図３２】
2010044540.tif 000034
【図３３】
2010044540.tif 000035
【図３４】
2010044540.tif 000036
【図３５】
2010044540.tif 000037
【図３６】
2010044540.tif 000038
【図３７】
2010044540.tif 000039
【図３８】
2010044540.tif 000040
【図３９】
2010044540.tif 000041
【図４０】
2010044540.tif 000042